Podtech/llm-jp-corpus-v4-ja_patent huggingface dataset:
【手続補正書】
【提出日】平成24年3月22日(2012.3.22)
【手続補正１】
【補正対象書類名】特許請求の範囲
【補正対象項目名】全文
【補正方法】変更
【補正の内容】
【特許請求の範囲】
【請求項１】
原料モズク等を洗浄し、原料モズク等に付着している汚れと異物の一部を除去するモズク等の洗浄選別装置と、
目視選別によって残りの異物が除去された原料モズク等の表面に付着している水分を除去するモズク等の脱水装置と、
脱水された原料モズク等の絡みを解いて、乾燥トレイ上に所定量ずつ平らに散布するモズク等の散布装置と、
乾燥トレイ上に散布された原料モズク等の初期重量と乾燥途中の重量とを計測する２組のロードセルと前記計測した原料モズク等の初期重量に基づいて熱風による一次乾燥を実行する熱風乾燥装置と前記一次乾燥終了後の原料モズク等の中間重量を定時的に計測しながらマイクロ波による二次乾燥を実行するマイクロ波乾燥装置と供給された乾燥トレイ上の原料モズク等を乾燥トレイごと所定の位置に所定のタイミングで間欠搬送するモズク等の搬送装置とを備えたモズク等の乾燥装置と、を具備していることを特徴とする半生モズク等の製造装置。
【請求項２】
モズク等の散布装置は、脱水された原料モズク等を投入する投入ホッパと、投入ホッパに投入された原料モズク等を解砕ローラに向けて搬送するスクリューコンベヤと、スクリューコンベヤによって移送された原料モズク等に対して外周面に放射状に立設された多数本の櫛歯を作用させて絡みを解いて筋状に整列配置させる解砕ローラとを備えた走行フレームと、
前記走行フレームを支持すると共に、該走行フレームを乾燥トレイの長さ分、乾燥トレイ側に移動させるフレーム移送装置と、
前記原料モズク等を収容する乾燥トレイを所定の散布ポジションに供給し、原料モズク等の散布後は乾燥トレイを待機ポジションに戻すトレイ供給・退出装置と、を具備していることを特徴とする請求項１記載の半生モズク等の製造装置。
【請求項３】
熱風乾燥装置が配置されている一次乾燥室と、マイクロ波乾燥装置が配置されている二次乾燥室とは、仕切り壁によって乾燥トレイが搬送できるスペースを確保した状態で仕切られており、
前記一次乾燥室の搬入側ゲートには、一次乾燥室と外部空間とを遮断する開閉自在の搬入側ゲートシャッタが設けられ、前記二次乾燥室の搬出側ゲートには、二次乾燥室と外部空間とを遮断する開閉自在の搬出側ゲートシャッタが設けられていることを特徴とする請求項１または２に記載の半生モズク等の製造装置。
【請求項４】
２組のロードセルのうちの１組は、前記一次乾燥室の上流側の初期重量計測エリアに設けられており、
前記２組のロードセルのうちの他の１組は、前記二次乾燥室内の中間重量計測エリアに設けられていることを特徴とする請求項３記載の半生モズク等の製造装置。
【請求項５】
モズク等の搬送装置は、供給された乾燥トレイを前記一次乾燥室と二次乾燥室に向けて押し込む押込み凸部を備えた押込み搬送装置と、
乾燥終了後、二次乾燥室に位置している乾燥トレイを二次乾燥室から搬出させる出没自在の引出し爪を備えた引出し搬送装置と、を具備していることを特徴とする請求項３または４に記載の半生モズク等の製造装置。
【請求項６】
モズク等の乾燥装置は、原料モズク等の重量と体積が１／２程度になるまで乾燥させた半生モズク等の乾燥に使用されることを特徴とする請求項１〜５のいずれかに記載の半生モズク等の製造装置。
【請求項７】
半生モズク等を洗浄し、原料モズク等に付着している汚れと異物の一部を除去する洗浄選別工程と、
前記洗浄選別工程において除去されなかった残りの異物を除去する目視選別工程と、
異物が除去された原料モズク等の表面に付着している水分を除去する脱水工程と、
脱水された原料モズク等の絡みを解いて、乾燥トレイ上に所定量ずつ平らに散布する散布工程と、
乾燥トレイ上に散布された原料モズク等の初期重量を計測する初期重量計測工程と、
前記計測した原料モズク等の初期重量に基づいて熱風による一次乾燥を実行する一次乾燥工程と、
前記一次乾燥終了後の原料モズク等の中間重量を定時的に計測しながらマイクロ波による二次乾燥を実行する二次乾燥工程と、を具備していることを特徴とする半生モズク等の製造方法。
【請求項８】
洗浄選別工程に先立って、冷凍保管されていた原料モズク等を自然解凍する解凍工程を実行するようにしたことを特徴とする請求項７記載の半生モズク等の製造方法。
【請求項９】
二次乾燥工程終了後、完成した半生モズク等を容器に入れて密封し、冷暗室に所定時間保管して水分量の均一化を図るあん蒸工程を実行するようにしたことを特徴とする請求項７または８に記載の半生モズク等の製造方法。
【手続補正書】
【提出日】平成24年2月21日(2012.2.21)
【手続補正１】
【補正対象書類名】特許請求の範囲
【補正対象項目名】全文
【補正方法】変更
【補正の内容】
【特許請求の範囲】
【請求項１】
がん細胞を含む細胞分散液を通過させて、少なくとも前記がん細胞に、物理的作用、化学的作用および生理活性作用の少なくとも一種を付与するデバイスであって、
第１面および第２面を有し、前記第１面から前記第２面に貫通し一方向に沿って延びるスリット形状を有する貫通孔が形成された、スリット部材を含み、
前記貫通孔は、テーパー部、狭窄部、および逆テーパー部を有し、
前記テーパー部の前記一方向に直交する断面における幅は、前記第１面から前記第２面側に向かって減少し、前記第２面側の端において前記がん細胞の平均直径よりも小さくなっており、
前記狭窄部は、前記テーパー部の前記第２面側の端に連続し、
前記狭窄部の前記幅は、前記テーパー部の前記第２面側の端における前記幅以下であり、
前記逆テーパー部は、前記狭窄部の前記第２面側の端に連続し、
前記逆テーパー部の前記幅は、前記第１面側から前記第２面に向かって増大しており、
前記細胞分散液は、前記第１面側から前記貫通孔を通って前記第２面側に通過される、細胞処理デバイス。
【請求項２】
請求項１において、
前記第１面および前記第２面は、互いに平行である、細胞処理デバイス。
【請求項３】
請求項１において、
前記第１面および前記第２面は、一軸を中心軸とする円筒面である、細胞処理デバイス。
【請求項４】
請求項１ないし請求項３のいずれか一項において、
前記細胞分散液は、さらに免疫細胞を含み、
前記狭窄部は、前記第１面側の第１領域と、前記第２面側の第２領域とを有し、
前記第２領域の幅は、前記免疫細胞の平均直径よりも小さい、細胞処理デバイス。
【請求項５】
請求項１ないし請求項４のいずれか一項において、
前記テーパー部を形成している前記スリット部材の表面は、溝を有する、細胞処理デバイス。
【請求項６】
請求項１ないし請求項５のいずれか一項において、
前記スリット部材の表面に、親水性、撥水性、およびブロッキング性から選択される少なくとも一種の機能を有するコーティングが施された、細胞処理デバイス。
【請求項７】
請求項１ないし請求項６のいずれか一項において、
前記スリット部材には、互いに平行な複数の前記貫通孔が形成された、細胞処理デバイス。
【請求項８】
請求項１ないし請求項７のいずれか一項において、
２つの前記スリット部材を有し、
２つの前記スリット部材は、互いに前記第１面が対向するように配置されている、細胞処理デバイス。
【請求項９】
がん細胞を含む細胞分散液を通過させて、少なくとも前記がん細胞に、物理的作用、化学的作用および生理活性作用の少なくとも一種を付与するカートリッジであって、
第１面および第２面を有し、前記第１面から前記第２面に貫通し一方向に沿って延びるスリット形状を有する貫通孔が形成された、スリット部材を含み、
前記貫通孔は、テーパー部、狭窄部、および逆テーパー部を有し、
前記テーパー部の前記一方向に直交する断面における幅は、前記第１面から前記第２面側に向かって減少し、前記第２面側の端において前記がん細胞の平均直径よりも小さくなっており、
前記狭窄部は、前記テーパー部の前記第２面側の端に連続し、
前記狭窄部の前記幅は、前記テーパー部の前記第２面側の端における前記幅以下であり、
前記逆テーパー部は、前記狭窄部の前記第２面側の端に連続し、
前記逆テーパー部の前記幅は、前記第１面側から前記第２面に向かって増大しており、
前記細胞分散液は、前記第１面側から前記貫通孔を通って前記第２面側に通過される、細胞処理カートリッジ。
【請求項１０】
がん細胞を含む細胞分散液を通過させて、少なくとも前記がん細胞に、物理的作用、化学的作用および生理活性作用の少なくとも一種を付与するシステムであって、
第１面および第２面を有し、前記第１面から前記第２面に貫通し一方向に沿って延びるスリット形状を有する貫通孔が形成された、スリット部材を含み、
前記貫通孔は、テーパー部、狭窄部、および逆テーパー部を有し、
前記テーパー部の前記一方向に直交する断面における幅は、前記第１面から前記第２面側に向かって減少し、前記第２面側の端において前記がん細胞の平均直径よりも小さくなっており、
前記狭窄部は、前記テーパー部の前記第２面側の端に連続し、
前記狭窄部の前記幅は、前記テーパー部の前記第２面側の端における前記幅以下であり、
前記逆テーパー部は、前記狭窄部の前記第２面側の端に連続し、
前記逆テーパー部の前記幅は、前記第１面側から前記第２面に向かって増大しており、
前記細胞分散液は、前記第１面側から前記貫通孔を通って前記第２面側に通過される、細胞処理デバイスまたは細胞処理カートリッジ、を用いた、体液処理システム。
【手続補正書】
【提出日】平成24年3月14日(2012.3.14)
【手続補正１】
【補正対象書類名】特許請求の範囲
【補正対象項目名】全文
【補正方法】変更
【補正の内容】
【特許請求の範囲】
【請求項１】
湿熱処理タピオカ澱粉を含有する水産練り製品であって、湿熱処理タピオカ澱粉が、固形分濃度６．０重量％でアミログラフ測定する場合の５０℃から９５℃までの昇温時の最高粘度と９５℃達温時の粘度の差が２００ＢＵ以下であることを特徴とする、水産練り製品。
【請求項２】
固形分濃度６．０重量％でアミログラフ測定する場合の５０℃から９５℃までの昇温時の最高粘度と９５℃達温時の粘度の差が１５０ＢＵ以下であることを特徴とする、請求項１記載の水産練り製品。
【手続補正書】
【提出日】平成24年3月6日(2012.3.6)
【手続補正１】
【補正対象書類名】特許請求の範囲
【補正対象項目名】全文
【補正方法】変更
【補正の内容】
【特許請求の範囲】
【請求項１】
弱酸性の条件でも油脂を分解して増殖可能なリパーゼ分泌微生物により油脂を分解することを特徴とする油脂含有排水処理方法。
【請求項２】
前記リパーゼ分泌微生物がバークホルデリア アルボリス（Burkholderia arbolis）である請求項１に記載の油脂含有排水処理方法。
【請求項３】
バークホルデリアアルボリス（Burkholderia arbolis）ＳＬ１Ｂ１株（受託番号NITE P-724）により油脂を分解することを特徴とする油脂含有排水処理方法。
【請求項４】
請求項１乃至３のいずれか一つに記載の油脂含有排水の処理方法により、グリーストラップに蓄積した油分をトラップ槽内で除去することを特徴とするグリーストラップ浄化方法。
【請求項５】
弱酸性の条件でも油脂を分解して増殖可能なリパーゼ分泌微生物を含む油脂分解剤。
【請求項６】
前記リパーゼ分泌微生物がバークホルデリア アルボリスである請求項５に記載の油脂分解剤。
【請求項７】
バークホルデリアアルボリス（Burkholderia arbolis）ＳＬ１Ｂ１株（受託番号NITE P-724）を含む油脂分解剤。
【手続補正２】
【補正対象書類名】明細書
【補正対象項目名】０００５
【補正方法】変更
【補正の内容】
【０００５】
油脂含有排水は、内在する微生物等の働きにより油脂の一部が加水分解され、ｐＨ５．５からｐＨ６．０ぐらいの弱酸性となっている場合が多い。そこで本発明者は、弱酸性条件でも増殖・油脂分解可能なリパーゼ分泌微生物ならば、実際の油脂含有排水中の油を効果的に除去し、グリーストラップの浄化効果も高いと考えた。
そのために、本発明は、弱酸性の条件でも油脂を分解して増殖可能なリパーゼ分泌微生物により油脂を分解する油脂含有排水処理方法を特徴とする（請求項１）。さらに、請求項１に記載の油脂含有排水処理方法において、リパーゼ分泌微生物がバークホルデリア アルボリス（Burkholderia arbolis）であることを特徴とする（請求項２）。さらに、バークホルデリアアルボリス（Burkholderia arbolis）ＳＬ１Ｂ１株（受託番号NITE P-724）により油脂を分解する油脂含有排水処理方法を特徴とする（請求項３）。また、請求項１乃至３のいずれか一つに記載の油脂含有排水の処理方法により、グリーストラップに蓄積した油分をトラップ槽内で除去し、グリーストラップを浄化する方法を特徴とする（請求項４）。
また、弱酸性の条件でも油脂を分解して増殖可能なリパーゼ分泌微生物を含む油脂分解剤を特徴とする（請求項５）。さらに、請求項５に記載の油脂分解剤において、リパーゼ分泌微生物がバークホルデリア アルボリスであることを特徴とする（請求項６）。さらに、バークホルデリアアルボリス（Burkholderia arbolis）ＳＬ１Ｂ１株（受託番号NITE P-724）を含む油脂分解剤を特徴とする（請求項７）。
本発明による上記の方法と油脂除去剤を利用すれば、高濃度の油脂を含む厨房排水を処理する施設であるグリーストラップ内で油を分解処理して浄化することも可能である。
【手続補正書】
【提出日】平成24年3月22日(2012.3.22)
【手続補正１】
【補正対象書類名】特許請求の範囲
【補正対象項目名】請求項１
【補正方法】変更
【補正の内容】
【請求項１】
膜ろ過に使用される膜モジュールの運転方法について、膜のゼータ電位測定を行いながら運転を行い、膜のゼータ電位が正荷電状態となった際に、膜のゼータ電位測定値に基づいて膜を負荷電状態に制御しながら運転することを特徴とする膜モジュールの運転方法。
【手続補正２】
【補正対象書類名】明細書
【補正対象項目名】０００７
【補正方法】変更
【補正の内容】
【０００７】
上記目的を達成するため、本発明の膜モジュールの運転方法は、次の特徴を有するものである。
（１）膜ろ過に使用される膜モジュールの運転方法について、膜のゼータ電位測定を行いながら運転を行い、膜のゼータ電位が正荷電状態となった際に、膜のゼータ電位測定値に基づいて膜を負荷電状態に制御しながら運転することを特徴とする膜モジュールの運転方法。
（２）膜のゼータ電位を−１５ｍＶ以上、−５ｍＶ以下に制御しながら運転することを特徴とする（１）に記載の膜モジュールの運転方法。
（３）膜を薬液と接触させることで膜を負荷電状態に制御することを特徴とする（１）または（２）に記載の膜モジュールの運転方法。
（４）膜のゼータ電位測定値に基づいて、膜のゼータ電位を負荷電状態に制御する薬液接触条件を決定することを特徴とする（３）に記載の膜モジュールの運転方法。
（５）膜ろ過に使用される膜モジュールの運転方法について、膜ろ過運転を一度停止して膜を酸洗浄するに際し、酸洗浄後、薬液との接触により膜のゼータ電位を負に戻してから、膜ろ過運転を再開することを特徴とする膜モジュールの運転方法。
（６）膜を薬液と接触させる際、膜のゼータ電位測定結果に基づいて、膜のゼータ電位が−５ｍＶ以下となる時点で薬液との接触を終了し、膜ろ過運転を再開することを特徴とする（５）に記載の膜モジュールの運転方法。
（７）膜のゼータ電位測定結果に基づいて、膜のゼータ電位を負に戻す薬液接触条件を決定することを特徴とする（５）または（６）に記載の膜モジュールの運転方法。
（８）薬液接触条件が、薬液の種類、薬液の濃度、薬液と膜との接触時間、から選ばれる少なくとも１つであることを特徴とする（４）または（７）に記載の膜モジュールの運転方法。
（９）薬液が次亜塩素酸ナトリウム溶液またはアルカリ溶液であることを特徴とする（３）〜（８）に記載の膜モジュールの運転方法。
（１０）膜ろ過される原水中の粒子のゼータ電位を負に保ちながら、膜ろ過運転を行うことを特徴とする（１）〜（９）に記載の膜モジュールの運転方法。
（１１）膜ろ過される原水に凝集剤を加えて凝集フロックを形成し、該凝集フロックのゼータ電位が−１０ｍＶ以上０ｍＶ未満の範囲となるように制御することを特徴とする（１０）に記載の膜モジュールの運転方法。
【手続補正書】
【提出日】平成24年5月29日(2012.5.29)
【手続補正１】
【補正対象書類名】特許請求の範囲
【補正対象項目名】請求項３
【補正方法】変更
【補正の内容】
【請求項３】
連続演出実行手段は、
リーチ状態となる前記第１識別情報の可変表示を対象とした前記連続演出が終了する以前に第２識別情報の可変表示が開始されたときには、当該第２識別情報の可変表示では前記連続演出の実行を禁止する一方、当該第２識別情報の可変表示の終了後に実行される前記連続演出の対象となった前記第１識別情報の可変表示以前に開始される前記第１識別情報の可変表示において、前記連続演出の実行を再開する
請求項２記載の遊技機。
【手続補正２】
【補正対象書類名】特許請求の範囲
【補正対象項目名】請求項５
【補正方法】変更
【補正の内容】
【請求項５】
連続演出実行手段は、
リーチ状態となる前記第１識別情報の可変表示を対象とした前記連続演出が終了する以前に特定表示結果とならない第２識別情報の可変表示が開始されたときには、当該第２識別情報の可変表示では前記連続演出の実行を禁止する一方、当該第２識別情報の可変表示の終了後に実行される前記連続演出の対象となった前記第１識別情報の可変表示以前に開始される前記第１識別情報の可変表示において、前記連続演出の実行を再開し、
リーチ状態となる前記第１識別情報の可変表示を対象とした前記連続演出が終了する以前に前記特定表示結果となる前記第２識別情報の可変表示が開始されたときには、当該第２識別情報の可変表示および当該第２識別情報の可変表示の終了後に実行される前記連続演出の対象となった前記第１識別情報の可変表示以前に開始される前記第１識別情報の可変表示において、前記連続演出の実行を禁止する
請求項２から請求項４のうちのいずれかに記載の遊技機。
【手続補正３】
【補正対象書類名】明細書
【補正対象項目名】００１２
【補正方法】変更
【補正の内容】
【００１２】
連続演出実行手段は、リーチ状態となる第１識別情報の可変表示を対象とした連続演出が終了する以前に第２識別情報の可変表示が開始されたときには、当該第２識別情報の可変表示では連続演出の実行を禁止する（例えば、演出制御用マイクロコンピュータ１００は、ステップＳ８００３でＹのときステップＳ８００４を実行して連続予告演出を中断する）一方、当該第２識別情報の可変表示の終了後に実行される連続演出の対象となった第１識別情報の可変表示以前に開始される第１識別情報の可変表示において、連続演出の実行を再開する（例えば、演出制御用マイクロコンピュータ１００は、ステップＳ８００５でＮのときステップＳ８００６を実行して連続予告演出を再開する）ように構成されていてもよい。そのような構成によっても、連続演出の途中で他方の識別情報の可変表示が割り込んで連続演出の連続性が損なわれる事態を防止することができ、連続演出の演出態様のつじつまが合わなくなる事態を防止することができる。従って、複数の可変表示部を備えた遊技機において、連続演出を行う場合の処理負担を増大させることなく、演出内容が不自然になることを防止することができる。
【手続補正４】
【補正対象書類名】明細書
【補正対象項目名】００１４
【補正方法】変更
【補正の内容】
【００１４】
連続演出実行手段は、リーチ状態となる第１識別情報の可変表示を対象とした連続演出が終了する以前に特定表示結果とならない第２識別情報の可変表示が開始されたときには、当該第２識別情報の可変表示では連続演出の実行を禁止する（例えば、演出制御用マイクロコンピュータ１００は、ステップＳ８００３でＹのときステップＳ８００４を実行して連続予告演出を中断する）一方、当該第２識別情報の可変表示の終了後に実行される連続演出の対象となった第１識別情報の可変表示以前に開始される第１識別情報の可変表示において、連続演出の実行を再開し（例えば、演出制御用マイクロコンピュータ１００は、ステップＳ８００５でＮのときステップＳ８００６を実行して連続予告演出を再開する）、リーチ状態となる第１識別情報の可変表示を対象とした連続演出が終了する以前に特定表示結果となる第２識別情報の可変表示が開始されたときには、当該第２識別情報の可変表示および当該第２識別情報の可変表示の終了後に実行される連続演出の対象となった第１識別情報の可変表示以前に開始される第１識別情報の可変表示において、連続演出の実行を禁止する（例えば、演出制御用マイクロコンピュータ１００は、ステップＳ８８７を実行することによって、セットされていれば、大当り終了時に連続予告実行中フラグをリセットすることによって連続予告演出をそのまま終了する）ように構成されていてもよい。そのような構成によっても、連続演出の途中で他方の識別情報の可変表示が割り込んで連続演出の連続性が損なわれる事態を防止することができ、連続演出の演出態様のつじつまが合わなくなる事態を防止することができる。従って、複数の可変表示部を備えた遊技機において、連続演出を行う場合の処理負担を増大させることなく、演出内容が不自然になることを防止することができる。
【手続補正書】
【提出日】平成23年10月9日(2011.10.9)
【手続補正１】
【補正対象書類名】特許請求の範囲
【補正対象項目名】請求項１
【補正方法】変更
【補正の内容】
【請求項１】
薄い金属帯の裏側にゴム板等を固着し、該金属帯の表面にはシートを貼って、前記金属帯の一端の表側に複数のフックの付いたクランプ本体台座を、裏側から滑りを良くする樹脂や金属を使ったクランプ本体台座固定プレートで、前記金属帯を挟み込み固定し、前記クランプ本体台座には各種アイテム取り付け用のネジ穴があり、そこに各種アイテムを取り付ける事が出来、前記金属帯の帯幅の両淵には保持片が在り、丸棒、パイプ、角柱、アングル等に、ゴムを内側として端から略密着させながら固定対象物の外周に巻きつけ、金属帯の長さ方向に平行で両淵付近に、前記金属帯にクランプ本体にあるフックを引っ掛ける穴が空いていて、クランプの時にフックを最寄りの穴に引っ掛け、クランプする時に、金属帯を外周方向に絞り込み固定体に略密着させ、固定体である締め付けられる物が、縦方向、横方向、細い物から太い物まで幅広く、ワンタッチ操作で、掛け脱出来て、固定対象物の丸棒、パイプ、角柱、アングル等に、多目的用途、アイテムに対応する取り付け用ネジが付いたクランプ本体台座を有する金属帯を、強く固定する事を特徴とした固定具。
【手続補正書】
【提出日】平成24年2月9日(2012.2.9)
【手続補正１】
【補正対象書類名】特許請求の範囲
【補正対象項目名】全文
【補正方法】変更
【補正の内容】
【特許請求の範囲】
【請求項１】
溶湯を加圧して送り出しモールドに鋳造する鋳造機の制御装置であって、溶湯を加圧する加圧手段と、この加圧手段を制御する制御手段とを備え、前記制御手段は、現在から所定時間経過した時点における送り出された前記溶湯の湯面の高さを予測し、この予測された湯面の高さが前記所定時間経過した時点における湯面の指定高さに近似するように前記加圧手段を制御することを特徴とする鋳造機の制御装置。
【請求項２】
前記鋳造機は、溶湯を加圧するガスを供給する空気供給手段を備え、前記制御手段は、ガスの流量を調整する流量調整弁と、ガスの圧力を検出する圧力検出手段とを備え、前記制御手段は、前記流量調整弁におけるガスの流量と前記圧力検出手段の検出結果とに基づき、現在から所定時間経過した時点における送り出された前記溶湯の湯面の高さを予測することを特徴とする請求項１に記載の鋳造機の制御装置。
【請求項３】
前記制御手段は、前記流量調整弁におけるガスの流量と、前記圧力検出手段の検出結果と、ガスの圧縮性とに基づき、現在から所定時間経過した時点における送り出された前記溶湯の湯面の高さを予測することを特徴とする請求項１に記載の鋳造機の制御装置。
【請求項４】
前記制御手段は、前記流量調整弁におけるガスの流量と、前記圧力検出手段の検出結果と、ガスの圧縮性と、送り出された前記溶湯の慣性とに基づき、現在から所定時間経過した時点における送り出された前記溶湯の湯面の高さを予測することを特徴とする請求項１に記載の鋳造機の制御装置。
【請求項５】
前記鋳造機は、溶湯を保持する保持部と、この保持部から前記モールドに溶湯を送るストークとを備え、前記制御手段は、下記［数１］および［数２］により現在から所定時間経過した時点における送り出された前記溶湯の湯面の高さ（ｈ１）を予測することを特徴とする請求項２に記載の鋳造機の制御装置。
【数１】
2010227974.tif 000001
Ｐ１：予測ガス圧力、Ａ：ストーク内部の水平断面積、Ｐｉ：溶湯の湯面にかかる背圧、
ｍＡ：ストーク内部の溶湯の質量、ｇ：重力加速度、Ｐ１：予測ガス圧力、
ｈ１：送り出された溶湯の湯面の高さ、μ（ｈ）：溶湯の粘性係数
【数２】
2010227974.tif 000002
Ｐ１：予測ガス圧力、Ｐ：実測ガス圧力、Ｐ：実測ガス圧力、Ｖ：ガス体積、
Ｒ：気体定数、Ｔ：鋳造機内ガス温度、Ｇ：ガス流量
【請求項６】
前記制御手段は、前記ストークおよび前記モールドの水平断面積を記憶し、前記溶湯の湯面の面積に対応して前記流量調整弁の制御を補正することを特徴とする請求項５に記載の鋳造機の制御装置。
【手続補正書】
【提出日】平成24年3月8日(2012.3.8)
【手続補正１】
【補正対象書類名】明細書
【補正対象項目名】００３２
【補正方法】変更
【補正の内容】
【００３２】
図８は、実施形態の一例を示す図５と同様な図である。ただし、図８の生理用ナプキン２では、第１、第２ウイング部分１１，１２が生理用ナプキン２の外面シート４４に向かって折曲されている。その外面シート４４には第２ウイング部分１２に使用されている第２保護シート３２が重なり、第２ウイング部分１２には第１保護シート３１が重なっている。第１ウイング部分１１に対して使用されている第１保護シート３１は、鎖線で示された部位６１において第２保護シート３２に接合している。また、図８の生理用ナプキン２は、本体部分４の外面シート４４に粘着域が形成されていないものであるが、その外面シート４４は仮想線で示された第３粘着域２３が形成されていて、その第３粘着域２３が仮想線で示された第３保護シート３３によって被覆されている態様のものに代えることができる。その第３保護シート３３は、包装シート３に対して剥離不能に接合されていることが好ましいものである。図８において、包装シート３は、第１ウイング部分１１に重なるような位置にあるものであるから仮想線で示されており、リードテープ９は、粘着域９ａ（図３参照）が形成されている面とは反対側の面が示されている。図８においては、生理用ナプキン２と仮想線で示された包装シート３とで形成される複合体６０を、第１仮想線Ｆ１に沿って矢印Ｑ３で示す方向へ折曲し、ついで第２仮想線Ｆ２に沿って矢印Ｑ４で示す方向へ折曲することによって、外観が図１と同様な包装体１を得ることができる。
【手続補正書】
【提出日】平成24年1月18日(2012.1.18)
【手続補正１】
【補正対象書類名】明細書
【補正対象項目名】００５１
【補正方法】変更
【補正の内容】
【００５１】
評価処理部１２３は、ユーザの身体属性と、全身の体組成値とに基づいて、ユーザの全身の体組成の評価指標（以下「全身評価指標」という）を算出する。本実施の形態において、「身体属性」とは、少なくとも性別を含み、性別の他、年齢指標を含んでもよい。また、「年齢指標」とは、年齢および年齢属性のうちのいずれか一方を表わす。
【手続補正２】
【補正対象書類名】明細書
【補正対象項目名】００９２
【補正方法】変更
【補正の内容】
【００９２】
図９を参照して、たとえば、ユーザが２０歳代とする。ユーザ（測定者）の体脂肪率についての値（たとえば体幹部／全身）が、３０歳代の平均を超えている（４０歳代の平均未満）とする。その場合、評価処理部１２３は、ユーザの体幹部の体脂肪率は、３０歳代に相当すると判定し、体幹部の体脂肪率のバランス年齢を３０歳代として判定する。なお、このような方法に限定されず、たとえば、ユーザ（測定者）の体脂肪率の部位別比率が２０歳代の平均より３０歳代の平均に近い場合に、バランス年齢は３０歳代と判定してもよい。
【手続補正３】
【補正対象書類名】特許請求の範囲
【補正対象項目名】全文
【補正方法】変更
【補正の内容】
【特許請求の範囲】
【請求項１】
ユーザの身体の表面に接触させるための複数の電極と、
前記電極を用いて前記ユーザの全身の体組成値および部位別の体組成値を算出するための第１の算出手段と、
前記全身の体組成値に対する前記部位別の体組成値の比を表わす部位別比率を算出するための第２の算出手段と、
算出された前記部位別比率に関する評価指標を表わす部位別評価指標を算出するための評価手段と、
表示部に、前記部位別評価指標を含む情報を表示するための出力処理手段と、を備え、
前記部位別評価指標は、前記部位別比率の高さを表わす高低レベルを含み、
前記出力処理手段は、前記表示部に、人体を模式的に表わした人体マークを表示し、かつ、部位のうち、算出された前記高低レベルが平均よりも高い部位または低い部位に対応する、前記人体マークにおける位置を、他の位置と識別可能に表示する、体組成計。
【請求項２】
前記出力処理手段は、前記部位別評価指標と関連付けて、前記全身の体組成値に関する全身情報を前記表示部に表示する、請求項１に記載の体組成計。
【請求項３】
前記全身情報は、前記全身の体組成値、および、前記ユーザの性別を含む身体属性における前記全身の体組成値の評価指標のうち、少なくともいずれか一方を含む、請求項２に記載の体組成計。
【請求項４】
前記出力処理手段は、算出された前記部位別比率を前記表示部に表示する、請求項１〜３のいずれかに記載の体組成計。
【請求項５】
測定者の身体属性ごとに、部位別比率の高さを表わす各高低レベルと、部位別比率との関係を特定するための特定情報を予め記憶するための記憶手段を、さらに備え、
前記評価手段は、
前記特定情報と、前記ユーザの身体属性と、算出された前記部位別比率とに基づいて、前記算出された部位別比率に対応する前記高低レベルを算出する、請求項１〜４のいずれかに記載の体組成計。
【請求項６】
前記特定情報は、全ての年齢属性を対象とした前記高低レベルを記憶した第１のテーブルと、年齢属性ごとの前記高低レベルを記憶した第２のテーブルとのうち少なくともいずれか一方を含む、請求項５に記載の体組成計。
【請求項７】
前記部位は、腕部、体幹部および脚部を含む、請求項１〜６のいずれかに記載の体組成計。
【請求項８】
前記評価手段は、年齢属性ごとの部位別比率の分布を表わす分布テーブルと、前記算出された部位別比率とに基づいて、前記算出された部位別比率がどの年齢属性に相当するかを示す年齢指標を、前記部位別評価指標として算出する、請求項１〜７のいずれかに記載の体組成計。
【請求項９】
前記算出された部位別比率の情報をサーバに送信するための通信手段をさらに備え、
前記通信手段は、前記サーバより、前記ユーザの体組成の付き方のバランスと近い人物についての情報を受信し、
前記出力処理手段は、前記通信手段により受信された情報を前記表示部に表示する、請求項１〜８のいずれかに記載の体組成計。
【請求項１０】
記憶部と表示部とを備えたコンピュータにおいて実行される、体組成の測定結果を出力するための方法であって、
前記記憶部に記憶された全身の体組成値に対する、前記記憶部に記憶された部位別の体組成値の比を表わす、部位別比率を算出するステップと、
算出された前記部位別比率に関する評価指標を表わす部位別評価指標を算出するステップと、
前記部位別評価指標を含む情報を、前記表示部に表示するステップとを備え、
前記部位別評価指標は、前記部位別比率の高さを表わす高低レベルを含み、
前記表示するステップでは、
前記表示部に、人体を模式的に表わした人体マークが表示され、かつ、部位のうち、算出された前記高低レベルが平均よりも高い部位または低い部位に対応する、前記人体マークにおける位置は、他の位置と識別可能に表示される、測定結果出力方法。
【請求項１１】
体組成の測定結果を出力するための方法を、コンピュータに実行させるための測定結果出力プログラムであって、
前記方法は、
全身の体組成値に対する部位別の体組成値の比を表わす部位別比率を算出するステップと、
算出された前記部位別比率に関する評価指標を表わす部位別評価指標を算出するステップと、
前記部位別評価指標を含む情報を、表示するステップと、を備え、
前記部位別評価指標は、前記部位別比率の高さを表わす高低レベルを含み、
前記表示するステップでは、
人体を模式的に表わした人体マークが表示され、かつ、部位のうち、算出された前記高低レベルが平均よりも高い部位または低い部位に対応する、前記人体マークにおける位置は、他の位置と識別可能に表示される、測定結果出力プログラム。
【手続補正書】
【提出日】平成24年2月27日(2012.2.27)
【手続補正１】
【補正対象書類名】特許請求の範囲
【補正対象項目名】全文
【補正方法】変更
【補正の内容】
【特許請求の範囲】
【請求項１】
電気掃除機と接続可能な吸口体であって、
前記吸口体は、
清掃体を内部に格納できるブラシ室を有する吸口本体と、
前記吸口本体と着脱可能に構成される少なくとも一つの清掃部材とを備え、
当該清掃部材は、
前記清掃体と、清掃対象と対向する面である摺動面を有する下部カバーとが一体的に構成されていることを特徴とする吸口体。
【請求項２】
請求項１に記載の電気掃除機と接続可能な吸口体であって、
前記電気掃除機は塵埃を吸い込むための送風機を備えており、接続管を介して前記吸口体に接続されることを特徴とする吸口体。
【請求項３】
請求項１に記載の電気掃除機と接続可能な吸口体であって、
前記吸口本体は、少なくとも前記清掃体を動作させる駆動部を内部に有する電気品室を有することを特徴とする吸口体。
【請求項４】
請求項１に記載の電気掃除機と接続可能な吸口体において、
前記清掃部材から前記清掃体は着脱可能であることを特徴とする吸口体。
【請求項５】
請求項１に記載の電気掃除機と接続可能な吸口体において、
前記清掃部材と前記吸口本体とを着脱可能とするロック機構を備えることを特徴とする吸口体。
【請求項６】
請求項１に記載の電気掃除機と接続可能な吸口体において、
前記清掃体が床面に接地されたことを検知する検知手段を有することを特徴とする吸口体。
【請求項７】
塵埃を吸い込むための送風機を備えた電気掃除機本体と、一端を前記電気掃除機本体に取付けられて前記送風機に連通する柔軟性のある吸引ホースと、前記吸引ホースの他端と取付けられて前記送風機に連通する手元ハンドルと、前記手元ハンドルに取付けられて前記吸引ホースに連通する接続管と、前記接続管に取付けられて該接続管に連通する吸口体とからなる電気掃除機であって、
前記吸口体は、清掃体を内部に格納できるブラシ室を有する吸口本体を有し、前記吸口体はさらに、前記吸口本体と着脱可能に構成される少なくとも一つの清掃部材とを備え、
当該清掃部材は、
前記清掃体と、清掃対象と対向する面である摺動面を有する下部カバーとが一体的に構成されていることを特徴とすることを特徴とする電気掃除機。
【請求項８】
請求項７に記載の電気掃除機において、
前記吸口体は、吸口本体と、前記吸口本体を前記接続管に回転可能に連結し、前記吸口本体の塵埃通路と前記接続管を連通する連結部を備え、
前記連結部は、管状の下腕部と管状の上腕部とから構成され、
前記下腕部は、その長手方向の一端を第１回転軸部を介して前記吸口本体と回転可能に連結し、他の一端は前記上腕部の一端と第２回転軸部を介して回転可能に連結され、
前記第１回転軸部と前記第２回転軸部はそれぞれ直交する回転軸を備えることを特徴とする電機掃除機。
【請求項９】
請求項７に記載の電気掃除機において、
前記清掃部材から前記清掃体は着脱可能であることを特徴とする電気掃除機。
【請求項１０】
請求項７に記載の電気掃除機において、
前記清掃部材と前記吸口本体とを着脱可能とするロック機構を備えることを特徴とする電気掃除機。
【請求項１１】
請求項７に記載の電気掃除機において、
前記清掃体が床面に接地されたことを検知する検知手段を有することを特徴とする電気掃除機。
【手続補正２】
【補正対象書類名】明細書
【補正対象項目名】００１６
【補正方法】変更
【補正の内容】
【００１６】
そこで、この実施例に係る電気掃除機の特徴の１つは、吸口本体５０５から床面と接する部分（清掃部材５０１）を分離可能とした点にある。
【手続補正３】
【補正対象書類名】明細書
【補正対象項目名】００１７
【補正方法】変更
【補正の内容】
【００１７】
即ち、この実施例では、清掃作業で床面と接する部分（清掃部材５０１）を吸口本体５０５から分離することにより、この分離した部分（清掃部材５０１）のみを清掃することができるから、吸口体５００の清掃性を向上することができる。この清掃作業で床面と接する部分（清掃部材５０１）として先ず挙げられるのが吸口体５００の底面部分である。床用の吸口体５００の場合、吸口体５００を床面に対して前後方向に摺動させることで床面の塵埃を取り込むことから、吸口体５００の底面部分は床面の塵埃が吸着しやすい部分である。また、床用の吸口体５００の場合、床面の塵埃を掻きあげる回転清掃体５１１もまた床面と接する部分であると言える。
【手続補正４】
【補正対象書類名】明細書
【補正対象項目名】００１８
【補正方法】変更
【補正の内容】
【００１８】
この実施例では、吸口本体５０５の下部を覆う下部カバー５０２を着脱可能に構成し、この下部カバー５０２に回転清掃体５１１を設けることにより、前記課題を解決している。この構造によれば、清掃作業で最も汚れやすい部分を吸口体５００から取り外して、この部分を清掃することができるので、清掃性を向上することができる。
【手続補正５】
【補正対象書類名】明細書
【補正対象項目名】００１９
【補正方法】変更
【補正の内容】
【００１９】
また、この実施例に係る電気掃除機の特徴の他の１つは、吸口本体５０５に電装品を残して、床面と接する部分（清掃部材５０１）を分離可能とした点にある。
【手続補正６】
【補正対象書類名】明細書
【補正対象項目名】００２０
【補正方法】変更
【補正の内容】
【００２０】
即ち、電装品を備えた吸口本体５０５から回転清掃体５１１を備えた下部カバー５０２を着脱可能としたことにより、回転清掃体５１１を備えた下部カバー５０２を水洗いを可能とすることができる。この場合、清掃体駆動部５８０（図２参照）の回転力を回転清掃体５１１に伝達する清掃体回転駆動軸部５８１を分離可能とする構造を採用する。これにより、回転清掃体５１１を備えた下部カバー５０２を簡単に着脱可能とすることができる。
【手続補正７】
【補正対象書類名】明細書
【補正対象項目名】００４８
【補正方法】変更
【補正の内容】
【００４８】
先ず、清掃体８０２は、下部カバー５０２に備えられた一対のブラシ保持部８０８に弾性体保持部８０３を介して吊り下げられる構造で保持されている。この際、弾性体保持部８０３は、伸びようとする作用で取り付けられる。このため、図９（ａ）図に示すように、清掃体８０２は、開口部８２０から、常に、突出するように一対のブラシ保持部８０８に保持される、
【手続補正書】
【提出日】平成24年2月20日(2012.2.20)
【手続補正１】
【補正対象書類名】特許請求の範囲
【補正対象項目名】全文
【補正方法】変更
【補正の内容】
【特許請求の範囲】
【請求項１】
始動条件の成立により特別遊技をおこなうか否かを判定する特別遊技判定手段と、
前記特別遊技判定手段による判定結果に基づいて、図柄を変動表示させる図柄変動時間を決定する変動時間決定手段と、
前記変動時間決定手段により決定された図柄変動時間で、所定の図柄表示手段において図柄を変動表示させた後に、前記判定結果を示す判定図柄を停止表示させる図柄表示制御手段と、
前記特別遊技判定手段により特別遊技をおこなうと判定された場合、前記図柄表示制御手段により前記判定図柄が停止表示させられた後に、遊技者にとって有利な特別遊技をおこなう特別遊技実行手段と、
前記特別遊技実行手段により特別遊技がおこなわれた後に、遊技者にとって有利度合いの異なる複数の遊技状態のうち１の遊技状態で遊技を制御する遊技状態制御手段と、
前記図柄表示制御手段により図柄が変動表示させられているときに、所定の演出表示手段において演出図柄を変動表示させた後に、前記判定結果を示す判定演出図柄を停止表示させる演出図柄変動演出をおこなう演出実行手段と、
を備え、
前記変動時間決定手段は、
通常図柄変動時間または該通常図柄変動時間と異なる特殊図柄変動時間の何れかを決定することが可能であり、
前記演出実行手段は、
前記遊技状態制御手段により制御されている遊技状態に基づいて、通常演出モードまたは該通常演出モードと異なる特別演出モードの何れかを設定する演出モード設定手段と、
前記演出モード設定手段により設定されている演出モードに応じた前記演出図柄変動演出をおこなう演出モード実行手段と、
を有し、
前記演出モード実行手段は、
前記演出モード設定手段により、前記通常演出モードが設定されているときに前記変動時間決定手段により前記特殊図柄変動時間が決定された場合には変動表示させている前記演出図柄を特別表示態様で停止表示させた後に前記判定演出図柄を停止表示させ、前記特別演出モードが設定されているときに前記変動時間決定手段により前記特殊図柄変動時間が決定された場合には変動表示させている前記演出図柄を特別表示態様で停止表示させることなく前記判定演出図柄を停止表示させることを特徴とする遊技機。
【手続補正２】
【補正対象書類名】明細書
【補正対象項目名】発明の名称
【補正方法】変更
【補正の内容】
【発明の名称】遊技機
【手続補正３】
【補正対象書類名】明細書
【補正対象項目名】０００１
【補正方法】変更
【補正の内容】
【０００１】
本発明は、遊技盤上の所定の始動口へ遊技球が入賞するごとに大当たり抽選をおこなう遊技機に関する。
【手続補正４】
【補正対象書類名】明細書
【補正対象項目名】０００６
【補正方法】変更
【補正の内容】
【０００６】
本発明は、上記の従来技術による問題点を解消するため、主制御基板から送信されるコマンドの種類を増やすことなく演出のバリエーションを増加させて、遊技機の興趣性を向上させ、長時間遊技しても飽きのこない演出を遊技者に対して提供することができる遊技機を提供することを目的とする。
【手続補正５】
【補正対象書類名】明細書
【補正対象項目名】０００７
【補正方法】変更
【補正の内容】
【０００７】
上述した課題を解決し、目的を達成するため、本発明は以下の構成を採用した。本発明にかかる遊技機は、始動条件の成立により特別遊技をおこなうか否かを判定する特別遊技判定手段と、前記特別遊技判定手段による判定結果に基づいて、図柄を変動表示させる図柄変動時間を決定する変動時間決定手段と、前記変動時間決定手段により決定された図柄変動時間で、所定の図柄表示手段において図柄を変動表示させた後に、前記判定結果を示す判定図柄を停止表示させる図柄表示制御手段と、前記特別遊技判定手段により特別遊技をおこなうと判定された場合、前記図柄表示制御手段により前記判定図柄が停止表示させられた後に、遊技者にとって有利な特別遊技をおこなう特別遊技実行手段と、前記特別遊技実行手段により特別遊技がおこなわれた後に、遊技者にとって有利度合いの異なる複数の遊技状態のうち１の遊技状態で遊技を制御する遊技状態制御手段と、前記図柄表示制御手段により図柄が変動表示させられているときに、所定の演出表示手段において演出図柄を変動表示させた後に、前記判定結果を示す判定演出図柄を停止表示させる演出図柄変動演出をおこなう演出実行手段と、を備え、前記変動時間決定手段は、通常図柄変動時間または該通常図柄変動時間と異なる特殊図柄変動時間の何れかを決定することが可能であり、前記演出実行手段は、前記遊技状態制御手段により制御されている遊技状態に基づいて、通常演出モードまたは該通常演出モードと異なる特別演出モードの何れかを設定する演出モード設定手段と、前記演出モード設定手段により設定されている演出モードに応じた前記演出図柄変動演出をおこなう演出モード実行手段と、を有し、前記演出モード実行手段は、前記演出モード設定手段により、前記通常演出モードが設定されているときに前記変動時間決定手段により前記特殊図柄変動時間が決定された場合には変動表示させている前記演出図柄を特別表示態様で停止表示させた後に前記判定演出図柄を停止表示させ、前記特別演出モードが設定されているときに前記変動時間決定手段により前記特殊図柄変動時間が決定された場合には変動表示させている前記演出図柄を特別表示態様で停止表示させることなく前記判定演出図柄を停止表示させることを特徴とする。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１７
【補正方法】変更
【補正の内容】
【００１７】
以下に添付図面を参照して、本発明にかかる遊技機の好適な実施の形態を詳細に説明する。以下に示す実施の形態は、本発明にかかる遊技機を、旧第一種のぱちんこ遊技機（いわゆる「デジパチ」）に適用した場合の例である。
【手続補正１４】
【補正対象書類名】明細書
【補正対象項目名】０２０４
【補正方法】変更
【補正の内容】
【０２０４】
以上に説明したように、本発明にかかる遊技機によれば、主制御基板から送信されたコマンドがリーチ演出の実行を指示するコマンドであっても、当該コマンド受信時に選択可能な演出のバリエーションを増加させて遊技機の興趣性を向上させ、長時間遊技しても飽きのこない演出を遊技者に対して提供することができる。
【手続補正１５】
【補正対象書類名】明細書
【補正対象項目名】０２０５
【補正方法】削除
【補正の内容】
【手続補正書】
【提出日】平成24年2月2日(2012.2.2)
【手続補正１】
【補正対象書類名】特許請求の範囲
【補正対象項目名】全文
【補正方法】変更
【補正の内容】
【特許請求の範囲】
【請求項１】
アメーバとレジオネラ属菌とが共存している水系に対して、Ｎ，Ｎ−ビス（３−アミノプロピル）ドデシルアミンを添加することを特徴とする水系中でアメーバと共存しているレジオネラ属菌の除菌方法。
【請求項２】
前記Ｎ，Ｎ−ビス（３−アミノプロピル）ドデシルアミンの前記水系への添加量が１ｍｇ／Ｌ以上５００ｍｇ／Ｌ以下であることを特徴とする請求項１に記載の水系中でアメーバと共存しているレジオネラ属菌の除菌方法。
【手続補正書】
【提出日】平成24年1月13日(2012.1.13)
【手続補正１】
【補正対象書類名】明細書
【補正対象項目名】０００７
【補正方法】変更
【補正の内容】
【０００７】
本発明の請求項１に係る指示装置は、体腔内に挿入可能な棒状の挿入部と、前記挿入部の先端部に配置され、前記体腔内の患部に向かう一方向に光を照射可能であり、かつ、自らが発光する第１発光部と、前記第１発光部とは反対側の前記挿入部の先端部に配置され、前記第１照射部の照射方向とは反対側に向かう光を前記体腔内の内壁に照射可能であり、かつ、自らが発光する第２発光部と、前記挿入部の先端部に回転可能に設けられ、前記第１発光部及び前記第２発光部が配置された回転体と、前記挿入部の軸方向と直交する方向に設けられ、前記回転体の回転中心軸となる回転軸部と、前記挿入部の後端部側に設けられ、前記回転体の回転操作を可能とする回転操作部と、を備える。
【手続補正２】
【補正対象書類名】明細書
【補正対象項目名】００１１
【補正方法】削除
【補正の内容】
【手続補正３】
【補正対象書類名】明細書
【補正対象項目名】００１２
【補正方法】変更
【補正の内容】
【００１２】
また、請求項１の構成によれば、挿入部の先端部に配置された第１発光部が、自ら発光し、体腔内の患部に光を照射する。第１発光部とは反対側の挿入部の先端部に配置された第２発光部は、自らが発光し、第１発光部とは反対側に向けて体腔の内壁に光を照射する。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】変更
【補正の内容】
【００１５】
また、請求項１の構成によれば、挿入部の後端部に設けられた回転操作部によって、回転体の回転操作ができる。これにより、回転体の回転角度を変えることで、回転体に配置された第１発光部及び第２発光部の照射方向を調整でき、障害物を回避できる経路を探りやすい。
【手続補正６】
【補正対象書類名】明細書
【補正対象項目名】００１６
【補正方法】変更
【補正の内容】
【００１６】
本発明の請求項２に係る指示装置は、体腔内に挿入可能な棒状の挿入部と、前記挿入部に配置され、前記体腔内の患部に向かう一方向に光を照射可能な第１照射部と、前記挿入部に配置され、前記第１照射部の照射方向とは反対側に向かう光を前記体腔内の内壁に照射可能な第２照射部と、を備え、前記第１照射部及び前記第２照射部は、前記挿入部の後端部に設けられ前記挿入部の先端部に向けて光を照射する光源と、前記挿入部の先端部に配置され前記光源からの光を一方向とその反対側とに分割する光分割部と、を備えて構成され、前記光分割部は、前記挿入部の軸方向と直交する方向に設けられた回転軸部を回転中心軸として回転可能に設けられ、前記光分割部の回転操作を可能とする回転操作部が前記挿入部の後端部側に設けられている。
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】変更
【補正の内容】
【００２０】
請求項２の構成によれば、挿入部の後端部に設けられた回転操作部によって、光分割部の回転操作ができる。これにより、光分割部の回転角度を変えることで、光分割部で分割された光の照射方向を調整でき、障害物を回避できる経路を探りやすい。
【手続補正９】
【補正対象書類名】特許請求の範囲
【補正対象項目名】全文
【補正方法】変更
【補正の内容】
【特許請求の範囲】
【請求項１】
体腔内に挿入可能な棒状の挿入部と、
前記挿入部の先端部に配置され、前記体腔内の患部に向かう一方向に光を照射可能であり、かつ、自らが発光する第１発光部と、
前記第１発光部とは反対側の前記挿入部の先端部に配置され、前記第１照射部の照射方向とは反対側に向かう光を前記体腔内の内壁に照射可能であり、かつ、自らが発光する第２発光部と、
前記挿入部の先端部に回転可能に設けられ、前記第１発光部及び前記第２発光部が配置された回転体と、
前記挿入部の軸方向と直交する方向に設けられ、前記回転体の回転中心軸となる回転軸部と、
前記挿入部の後端部側に設けられ、前記回転体の回転操作を可能とする回転操作部と、
を備える指示装置。
【請求項２】
体腔内に挿入可能な棒状の挿入部と、
前記挿入部に配置され、前記体腔内の患部に向かう一方向に光を照射可能な第１照射部と、
前記挿入部に配置され、前記第１照射部の照射方向とは反対側に向かう光を前記体腔内の内壁に照射可能な第２照射部と、
を備え、
前記第１照射部及び前記第２照射部は、
前記挿入部の後端部に設けられ前記挿入部の先端部に向けて光を照射する光源と、
前記挿入部の先端部に配置され前記光源からの光を一方向とその反対側とに分割する光分割部と、
を備えて構成され、
前記光分割部は、前記挿入部の軸方向と直交する方向に設けられた回転軸部を回転中心軸として回転可能に設けられ、
前記光分割部の回転操作を可能とする回転操作部が前記挿入部の後端部側に設けられた指示装置。